(57)【要約】【課題】画像情報と文字情報とを統一して送信でき、送信された画像情報と文字情報とを、同時に対応させて参照することができる画像文字情報整理システムならびにこの画像文字情報整理システムを利用した予約管理システムおよび予約管理方法を提供する。【解決手段】互いに関連付けられた画像情報と文字情報とから成る通信用情報を情報提供者から取得する。取得した通信用情報から画像情報と文字情報とを分離する。分離した画像情報と文字情報とを記憶する。表示部を画像表示部と文字表示部とに分割する。記憶した画像情報を画像表示部に表示する。記憶した文字情報を同一の通信用情報の画像情報の表示と同時に文字表示部に表示する。【選択図】図１
2004110089.tif 000002
【特許請求の範囲】
【請求項１】
コンピュータネットワークを介して画像情報と文字情報とを取得し、表示部に表示する画像文字情報整理システムであって、
互いに関連付けられた画像情報と文字情報とから成る通信用情報を情報提供者から取得する情報取得手段と、
前記情報取得手段で取得した通信用情報から前記画像情報と前記文字情報とを分離する情報分離手段と、
前記情報分離手段で分離した画像情報と文字情報とを記憶する情報記憶手段と、
前記表示部を画像表示部と文字表示部とに分割する表示部制御手段と、
前記情報記憶手段に記憶した画像情報を前記画像表示部に表示する画像表示手段と、
前記情報記憶手段に記憶した文字情報を同一の通信用情報の画像情報の表示と同時に前記文字表示部に表示する文字表示手段とを、
有することを特徴とする画像文字情報整理システム。
【請求項２】
表示部を有し、コンピュータネットワークを介して予約管理を行う予約管理システムであって、
予約者に関する画像情報と文字情報とから成る通信用情報を取得する予約者情報取得手段と、
前記予約者情報取得手段で取得した通信用情報を記憶する取得情報記憶手段と、
複数の予約設定時間を記憶する予約設定時間記憶手段と、
前記予約設定時間記憶手段に記憶された予約設定時間から予約時間を求める予約時間設定手段と、
前記予約設定時間記憶手段に記憶された予約設定時間から前記予約時間設定手段で求められた予約時間を差し引くことにより前記予約設定時間記憶手段に記憶された予約設定時間を更新する更新手段と、
前記予約時間設定手段により求められた予約時間を、前記取得情報記憶手段に記憶された対応する通信用情報と関連づけて記憶する予約記憶手段と、
前記予約記憶手段に記憶された予約時間を前記予約者に送信する予約確認送信手段と、
前記取得情報記憶手段に記憶された通信用情報から前記画像情報と前記文字情報とを分離する予約者情報分離手段と、
前記表示部を画像表示部と文字表示部とに分割する表示部制御手段と、
前記予約者情報分離手段で分離した画像情報を前記画像表示部に表示する画像表示手段と、
前記予約者情報分離手段で分離した文字情報と、その文字情報を含む通信用情報と関連づけて前記予約記憶手段に記憶された予約時間とを、同一の通信用情報の画像情報の前記画像表示手段による表示と同時に前記文字表示部に表示する文字表示手段とを、
有することを特徴とする予約管理システム。
【請求項３】
前記予約時間設定手段は、
前記予約設定時間記憶手段に記憶された予約設定時間を前記予約者に送信する予約設定時間送信手段と、
前記予約設定時間送信手段で送信された予約設定時間の中から前記予約者が選択した予約設定時間を予約時間として取得する希望予約時間取得手段とを、
有することを、特徴とする請求項２記載の予約管理システム。
【請求項４】
表示部を有し、コンピュータネットワークを介して予約管理を行う予約管理方法であって、
予約者に関する画像情報と文字情報とから成る通信用情報を取得する予約者情報取得ステップと、
前記予約者情報取得ステップで取得した通信用情報を記憶する取得情報記憶ステップと、
複数の予約設定時間を記憶する予約設定時間記憶ステップと、
前記予約設定時間記憶ステップに記憶された予約設定時間から予約時間を求める予約時間設定ステップと、
前記予約設定時間記憶ステップに記憶された予約設定時間から前記予約時間設定ステップで求められた予約時間を差し引くことにより前記予約設定時間記憶ステップに記憶された予約設定時間を更新する更新ステップと、
前記予約時間設定ステップにより求められた予約時間を、前記取得情報記憶ステップに記憶された対応する通信用情報と関連づけて記憶する予約記憶ステップと、
前記予約記憶ステップに記憶された予約時間を前記予約者に送信する予約確認送信ステップと、
前記取得情報記憶ステップに記憶された通信用情報から前記画像情報と前記文字情報とを分離する予約者情報分離ステップと、
前記表示部を画像表示部と文字表示部とに分割する表示部制御ステップと、
前記予約者情報分離ステップで分離した画像情報を前記画像表示部に表示する画像表示ステップと、
前記予約者情報分離ステップで分離した文字情報と、その文字情報を含む通信用情報と関連づけて前記予約記憶ステップに記憶された予約時間とを、同一の通信用情報の画像情報の前記画像表示ステップによる表示と同時に前記文字表示部に表示する文字表示ステップとを、
有することを特徴とする予約管理方法。
【請求項５】
前記予約時間設定ステップは、
前記予約設定時間記憶ステップに記憶された予約設定時間を前記予約者に送信する予約設定時間送信ステップと、
前記予約設定時間送信ステップで送信された予約設定時間の中から前記予約者が選択した予約設定時間を予約時間として取得する希望予約時間取得ステップとを、
有することを、特徴とする請求項４記載の予約管理方法。
【請求項６】
表示部を有し、コンピュータネットワークを介して予約管理を行うプログラムであって、
予約者に関する画像情報と文字情報とから成る通信用情報を取得する予約者情報取得手段と、
前記予約者情報取得手段で取得した通信用情報を記憶する取得情報記憶手段と、
複数の予約設定時間を記憶する予約設定時間記憶手段と、
前記予約設定時間記憶手段に記憶された予約設定時間から予約時間を求める予約時間設定手段と、
前記予約設定時間記憶手段に記憶された予約設定時間から前記予約時間設定手段で求められた予約時間を差し引くことにより前記予約設定時間記憶手段に記憶された予約設定時間を更新する更新手段と、
前記予約時間設定手段により求められた予約時間を、前記取得情報記憶手段に記憶された対応する通信用情報と関連づけて記憶する予約記憶手段と、
前記予約記憶手段に記憶された予約時間を前記予約者に送信する予約確認送信手段と、
前記取得情報記憶手段に記憶された通信用情報から前記画像情報と前記文字情報とを分離する予約者情報分離手段と、
前記表示部を画像表示部と文字表示部とに分割する表示部制御手段と、
前記予約者情報分離手段で分離した画像情報を前記画像表示部に表示する画像表示手段と、
前記予約者情報分離手段で分離した文字情報と、その文字情報を含む通信用情報と関連づけて前記予約記憶手段に記憶された予約時間とを、同一の通信用情報の画像情報の前記画像表示手段による表示と同時に前記文字表示部に表示する文字表示手段として、
コンピュータを機能させるためのプログラム。
【請求項７】
前記予約時間設定手段は、
前記予約設定時間記憶手段に記憶された予約設定時間を前記予約者に送信する予約設定時間送信手段と、
前記予約設定時間送信手段で送信された予約設定時間の中から前記予約者が選択した予約設定時間を予約時間として取得する希望予約時間取得手段として、
コンピュータを機能させるための請求項６記載のプログラム。
【発明の詳細な説明】
【０００１】
【発明の属する技術分野】
本発明は、インターネットなどのコンピュータネットワークを介して画像情報と文字情報とを取得し、表示部に表示する画像文字情報整理システムと、インターネットなどのコンピュータネットワークを介して予約管理を行う予約管理システムおよび予約管理方法とに関する。
【０００２】
【従来の技術】
従来のコンピュータネットワークを介した画像文字情報整理システムとして、以下に示すものが知られている。すなわち、写真などの画像情報を提供する情報提供者が、インターネットなどのコンピュータネットワークを介して、情報を受け取る情報受給者などに画像情報を送信し、さらにその画像情報に対応する文字情報を送信する。情報受給者は、その画像情報や文字情報を、情報端末の画面などで参照することができる。
【０００３】
【発明が解決しようとする課題】
しかしながら、従来の画像文字情報整理システムでは、情報提供者は、画像情報の送信と文字情報の送信とを別々に行わなければならず、煩雑であるという課題があった。また、情報受給者は、別々に送信された画像情報と文字情報とを、同時に対応させて参照することができないという課題があった。
【０００４】
本発明は、このような従来の課題に着目してなされたもので、画像情報と文字情報とを統一して送信でき、送信された画像情報と文字情報とを、同時に対応させて参照することができる画像文字情報整理システムを提供することを目的としている。また、この画像文字情報整理システムを利用した予約管理システムおよび予約管理方法を提供することを目的としている。
【０００５】
【課題を解決するための手段】
上記目的を達成するために、本発明に係る画像文字情報整理システムは、コンピュータネットワークを介して画像情報と文字情報とを取得し、表示部に表示する画像文字情報整理システムであって、互いに関連付けられた画像情報と文字情報とから成る通信用情報を情報提供者から取得する情報取得手段と、前記情報取得手段で取得した通信用情報から前記画像情報と前記文字情報とを分離する情報分離手段と、前記情報分離手段で分離した画像情報と文字情報とを記憶する情報記憶手段と、前記表示部を画像表示部と文字表示部とに分割する表示部制御手段と、前記情報記憶手段に記憶した画像情報を前記画像表示部に表示する画像表示手段と、前記情報記憶手段に記憶した文字情報を同一の通信用情報の画像情報の表示と同時に前記文字表示部に表示する文字表示手段とを、有することを特徴とする。
【０００６】
本発明に係る画像文字情報整理システムでは、画像情報は、例えば、デジタルカメラやカメラ付き携帯電話で撮影した写真や、コンピュータグラフィックスなどのデジタルデータから成る画像情報である。通信用情報は、電子メールであることが好ましい。
【０００７】
本発明に係る画像文字情報整理システムでは、情報提供者は、画像情報と文字情報とを統一して送信することができるため、容易に情報の提供が可能である。また、情報を受け取る情報受給者は、送信された画像情報と文字情報とを、同時に対応させて参照することができる。
【０００８】
本発明に係る予約管理システムは、表示部を有し、コンピュータネットワークを介して予約管理を行う予約管理システムであって、予約者に関する画像情報と文字情報とから成る通信用情報を取得する予約者情報取得手段と、前記予約者情報取得手段で取得した通信用情報を記憶する取得情報記憶手段と、複数の予約設定時間を記憶する予約設定時間記憶手段と、前記予約設定時間記憶手段に記憶された予約設定時間から予約時間を求める予約時間設定手段と、前記予約設定時間記憶手段に記憶された予約設定時間から前記予約時間設定手段で求められた予約時間を差し引くことにより前記予約設定時間記憶手段に記憶された予約設定時間を更新する更新手段と、前記予約時間設定手段により求められた予約時間を、前記取得情報記憶手段に記憶された対応する通信用情報と関連づけて記憶する予約記憶手段と、前記予約記憶手段に記憶された予約時間を前記予約者に送信する予約確認送信手段と、前記取得情報記憶手段に記憶された通信用情報から前記画像情報と前記文字情報とを分離する予約者情報分離手段と、前記表示部を画像表示部と文字表示部とに分割する表示部制御手段と、前記予約者情報分離手段で分離した画像情報を前記画像表示部に表示する画像表示手段と、前記予約者情報分離手段で分離した文字情報と、その文字情報を含む通信用情報と関連づけて前記予約記憶手段に記憶された予約時間とを、同一の通信用情報の画像情報の前記画像表示手段による表示と同時に前記文字表示部に表示する文字表示手段とを、有することを特徴とする。
【０００９】
本発明に係る予約管理方法は、表示部を有し、コンピュータネットワークを介して予約管理を行う予約管理方法であって、予約者に関する画像情報と文字情報とから成る通信用情報を取得する予約者情報取得ステップと、前記予約者情報取得ステップで取得した通信用情報を記憶する取得情報記憶ステップと、複数の予約設定時間を記憶する予約設定時間記憶ステップと、前記予約設定時間記憶ステップに記憶された予約設定時間から予約時間を求める予約時間設定ステップと、前記予約設定時間記憶ステップに記憶された予約設定時間から前記予約時間設定ステップで求められた予約時間を差し引くことにより前記予約設定時間記憶ステップに記憶された予約設定時間を更新する更新ステップと、前記予約時間設定ステップにより求められた予約時間を、前記取得情報記憶ステップに記憶された対応する通信用情報と関連づけて記憶する予約記憶ステップと、前記予約記憶ステップに記憶された予約時間を前記予約者に送信する予約確認送信ステップと、前記取得情報記憶ステップに記憶された通信用情報から前記画像情報と前記文字情報とを分離する予約者情報分離ステップと、前記表示部を画像表示部と文字表示部とに分割する表示部制御ステップと、前記予約者情報分離ステップで分離した画像情報を前記画像表示部に表示する画像表示ステップと、前記予約者情報分離ステップで分離した文字情報と、その文字情報を含む通信用情報と関連づけて前記予約記憶ステップに記憶された予約時間とを、同一の通信用情報の画像情報の前記画像表示ステップによる表示と同時に前記文字表示部に表示する文字表示ステップとを、有することを特徴とする。
【００１０】
本発明に係るプログラムは、表示部を有し、コンピュータネットワークを介して予約管理を行うプログラムであって、予約者に関する画像情報と文字情報とから成る通信用情報を取得する予約者情報取得手段と、前記予約者情報取得手段で取得した通信用情報を記憶する取得情報記憶手段と、複数の予約設定時間を記憶する予約設定時間記憶手段と、前記予約設定時間記憶手段に記憶された予約設定時間から予約時間を求める予約時間設定手段と、前記予約設定時間記憶手段に記憶された予約設定時間から前記予約時間設定手段で求められた予約時間を差し引くことにより前記予約設定時間記憶手段に記憶された予約設定時間を更新する更新手段と、前記予約時間設定手段により求められた予約時間を、前記取得情報記憶手段に記憶された対応する通信用情報と関連づけて記憶する予約記憶手段と、前記予約記憶手段に記憶された予約時間を前記予約者に送信する予約確認送信手段と、前記取得情報記憶手段に記憶された通信用情報から前記画像情報と前記文字情報とを分離する予約者情報分離手段と、前記表示部を画像表示部と文字表示部とに分割する表示部制御手段と、前記予約者情報分離手段で分離した画像情報を前記画像表示部に表示する画像表示手段と、前記予約者情報分離手段で分離した文字情報と、その文字情報を含む通信用情報と関連づけて前記予約記憶手段に記憶された予約時間とを、同一の通信用情報の画像情報の前記画像表示手段による表示と同時に前記文字表示部に表示する文字表示手段として、コンピュータを機能させる。
【００１１】
本発明に係る予約管理システム、予約管理方法およびプログラムでは、画像情報は、例えば、デジタルカメラやカメラ付き携帯電話で撮影した予約者本人の顔写真から成る画像情報である。文字情報は、例えば、予約者の氏名から成る。通信用情報は、電子メールであることが好ましい。本発明に係る予約管理システム、予約管理方法およびプログラムは、病院の診療時間の予約などに利用することができる。
【００１２】
本発明に係る予約管理システム、予約管理方法、プログラムでは、情報提供者は、画像情報と文字情報とを統一して送信することができるため、容易に情報の提供が可能である。また、情報を受け取る情報受給者は、送信された画像情報と文字情報とを、同時に対応させて参照することができる。また、予約情報を受け取ると情報受給者の表示部に予約者の顔写真などの画像情報と氏名などの文字情報が表示されるため、容易に予約情報を参照し、予約者の確認をすることができる。
【００１３】
本発明に係る予約管理システムは、前記予約時間設定手段は、前記予約設定時間記憶手段に記憶された予約設定時間を前記予約者に送信する予約設定時間送信手段と、前記予約設定時間送信手段で送信された予約設定時間の中から前記予約者が選択した予約設定時間を予約時間として取得する希望予約時間取得手段とを、有していてもよい。
【００１４】
本発明に係る予約管理方法は、前記予約時間設定ステップは、前記予約設定時間記憶ステップに記憶された予約設定時間を前記予約者に送信する予約設定時間送信ステップと、前記予約設定時間送信ステップで送信された予約設定時間の中から前記予約者が選択した予約設定時間を予約時間として取得する希望予約時間取得ステップとを、有していてもよい。
【００１５】
本発明に係るプログラムは、前記予約時間設定手段は、前記予約設定時間記憶手段に記憶された予約設定時間を前記予約者に送信する予約設定時間送信手段と、前記予約設定時間送信手段で送信された予約設定時間の中から前記予約者が選択した予約設定時間を予約時間として取得する希望予約時間取得手段として、コンピュータを機能させるものであってもよい。
【００１６】
このような場合、本発明に係る予約管理システム、予約管理方法およびプログラムでは、予約者が自分の希望の時間を予約時間として選択することができる。
【００１７】
【発明の実施の形態】
図１、図２は、本発明の第１の実施の形態を示している。
図１に示すように、画像文字情報整理システムは、コンピュータの主制御部１１を中心として、受信手段１２と、処理手段１３と、記憶手段１４と、表示手段１５とを有している。
【００１８】
主制御部１１は、ＣＰＵ等から構成され、各部の制御や、データの転送、種々の演算等を行う。受信手段１２は、画像情報と文字情報とから成る通信用情報を情報提供者から取得する情報取得手段１６を有する。処理手段１３は、通信用情報から画像情報と文字情報とを分離する情報分離手段１７と、表示部を画像表示部と文字表示部とに分割する表示部制御手段１８とを有する。記憶手段１４は、画像情報と文字情報とを記憶する情報記憶手段１９を有する。表示手段１５は、画像情報を画像表示部に表示する画像表示手段２０と、文字情報を文字表示部に表示する文字表示手段２１とを有する。
【００１９】
次に、図２を参照して、画像文字情報整理システムの処理手順について説明する。
まず、互いに関連付けられた画像情報と文字情報とから成る電子メールを、コンピュータネットワークを介し、情報取得手段１６により情報提供者から取得する（ステップ３１）。画像情報は、デジタルカメラやカメラ付き携帯電話で撮影した写真や、コンピュータグラフィックスなどのデジタルデータから成る画像情報である。情報提供者は、画像情報と文字情報とを統一して送信することができるため、容易に情報の提供が可能である。
【００２０】
次に、情報分離手段１７により、取得した電子メールから画像情報と文字情報とを分離し（ステップ３２）、情報記憶手段１９により記憶し、保存する（ステップ３３）。その後、表示部制御手段１８により、表示部を画像表示部と文字表示部とに分割する（ステップ３４）。情報記憶手段１９により記憶した画像情報を、画像表示手段２０により画像表示部に表示する（ステップ３５）。それと同時に、その画像情報と同一の電子メールで取得し、情報記憶手段１９により記憶した文字情報を、文字表示手段２１により文字表示部に表示する（ステップ３６）。これにより、送信された画像情報と文字情報とを、同時に対応させて参照することができる。
【００２１】
図３、図４は、本発明の第２の実施の形態を示している。本実施の形態は、工事現場の施工状況の写真を画像情報として送信する場合を示している。なお、本発明の第２の実施の形態は、図１に示す本発明の第１の実施の形態の画像文字情報整理システムにより実施される。
図３に示すように、工事施工業者などの情報提供者は、工事状況の写真を添付して電子メールを送信する（ステップ３７）。この電子メールをサーバが受信し、専用のホームページのアドレス情報を情報提供者に送信する。情報提供者は、そのアドレス情報を参照し、専用のホームページへアクセスする（ステップ３８）。ホームページ上で、送信した写真に関する各種属性の情報を、指示に従って入力する（ステップ３９）。修正・登録を行い完了する（ステップ４０）。
【００２２】
これにより、情報提供者は、画像情報と文字情報とを統一して送信することができるため、容易に情報の提供が可能である。また、工事担当者や工事発注者であるお客様などの情報受給者は、工事状況の写真から成る画像情報と、図４に示すように、撮影者や撮影日などから成る文字情報とを、同時に対応させて参照することができる。なお、登録された写真の画像情報と各種属性などの文字情報は、現場作業データベースとして記憶、保存される。
【００２３】
図５、図６は、本発明の第３の実施の形態を示している。本実施の形態は、病院の診療時間の予約などに利用することができる。
図５に示すように、予約管理システムは、コンピュータの主制御部４１を中心として、受信手段４２と、送信手段４３と、処理手段４４と、記憶手段４５と、表示手段４６とを有している。
【００２４】
主制御部４１は、ＣＰＵ等から構成され、各部の制御や、データの転送、種々の演算等を行う。受信手段４２は、予約者に関する画像情報と文字情報とから成る通信用情報を取得する予約者情報取得手段４７を有する。送信手段４３は、予約時間を予約者に送信する予約確認送信手段４８を有する。
【００２５】
処理手段４４は、予約設定時間から予約時間を求める予約時間設定手段４９と、予約設定時間から予約時間を差し引くことにより予約設定時間を更新する更新手段５０と、通信用情報から画像情報と文字情報とを分離する予約者情報分離手段５１と、表示部を画像表示部と文字表示部とに分割する表示部制御手段５２とを有する。
【００２６】
記憶手段４５は、通信用情報を記憶する取得情報記憶手段５３と、複数の予約設定時間を記憶する予約設定時間記憶手段５４と、予約時間を、対応する通信用情報と関連づけて記憶する予約記憶手段５５とを有する。表示手段４６は、画像情報を画像表示部に表示する画像表示手段５６と、文字情報を文字表示部に表示する文字表示手段５７とを有する。
【００２７】
次に、図６を参照して、予約管理システムの処理手順について説明する。
まず、あらかじめ予約設定時間記憶手段５４により、複数の予約設定時間を記憶し、保存する（ステップ６１）。予約者が、予約者に関する画像情報と文字情報とから成る電子メールを送信する。画像情報は、デジタルカメラやカメラ付き携帯電話で撮影した予約者本人の顔写真等から成る画像情報である。また、文字情報は、予約者の氏名を含んでいる。この電子メールを、コンピュータネットワークを介し、予約者情報取得手段４７により取得する（ステップ６２）。予約者は、画像情報と文字情報とを統一して送信することができるため、容易に情報の提供が可能である。
【００２８】
次に、取得した電子メールを取得情報記憶手段５３により記憶し、保存する（ステップ６３）。予約時間設定手段４９により、予約設定時間記憶手段５４により記憶された予約設定時間を、電子メールの取得順にあてはめ、予約時間を求める（ステップ６４）。次に、更新手段５０により、求められた予約時間を、予約設定時間記憶手段５４に記憶された予約設定時間から差し引き、予約設定時間を更新する（ステップ６５）。これにより、予約の入っていない予約設定時間のみを常に予約設定時間記憶手段５４に記憶しておくことができる。
【００２９】
次に、予約記憶手段５５により、求められた予約時間を、取得情報記憶手段５３により記憶された対応する電子メールと関連づけて記憶し、保存する（ステップ６６）。その後、記憶された予約時間を、予約確認送信手段４８により予約者に送信する（ステップ６７）。
【００３０】
取得情報記憶手段５３により記憶された電子メールから、予約者情報分離手段５１により画像情報と文字情報とを分離する（ステップ６８）。その後、表示部制御手段５２により、表示部を画像表示部と文字表示部とに分割する（ステップ６９）。画像情報を、画像表示手段５６により画像表示部に表示する（ステップ７０）。それと同時に、その画像情報と同一の電子メールで取得した文字情報と、その電子メールと関連づけて予約記憶手段５５により記憶された予約時間とを、文字表示手段５７により文字表示部に表示する（ステップ７１）。これにより、送信された画像情報と文字情報とを、同時に対応させて参照することができる。また、表示部に予約者の顔写真などの画像情報と氏名などの文字情報が表示されるため、容易に予約情報を参照し、予約者の確認をすることができる。
【００３１】
なお、図６に示すステップ６４で、予約時間設定手段４９により予約時間を求める手段として、図７に示す処理手段を用いても良い。すなわち、この場合、予約時間設定手段４９は、予約設定時間送信手段と、希望予約時間取得手段とを有している。図７に示すように、予約設定時間記憶手段５４により記憶された予約設定時間を、予約設定時間送信手段により予約者に送信する（ステップ８１）。送信された予約設定時間の中から予約者が希望の時間を選択し、その希望時間を希望予約時間取得手段により取得する（ステップ８２）。これにより、予約者が自分の希望の時間を予約時間として選択することができる。
【００３２】
ステップ８１，８２の手順は、例えば、メールにより予約設定時間の送信と、希望時間の返信を行うことにより実現することができる。また、予約管理システムを提供しているホームページ上で、予約者が予約設定時間のリストの中からクリックして希望の予約時間を選択することにより実現しても良い。
【００３３】
【発明の効果】
本発明によれば、画像情報と文字情報とを統一して送信でき、送信された画像情報と文字情報とを、同時に対応させて参照することができる画像文字情報整理システムを提供することができる。また、この画像文字情報整理システムを利用した予約管理システムおよび予約管理方法を提供することができる。
【図面の簡単な説明】
【図１】本発明の第１の実施の形態の画像文字情報整理システムの構成を示すブロック図である。
【図２】図１に示す画像文字情報整理システムの処理手順を示すフローチャートである。
【図３】本発明の第２の実施の形態の画像文字情報整理システムの処理手順を示すフローチャートである。
【図４】図３に示す画像文字情報整理システムの画像・文字情報表示の状況を示す説明図である。
【図５】本発明の第３の実施の形態の予約管理システムの構成を示すブロック図である。
【図６】図５に示す予約管理システムの処理手順を示すフローチャートである。
【図７】図５に示す予約管理システムの予約時間の設定手順を示すフローチャートである。
【符号の説明】
１１　主制御部
１２　受信手段
１３　処理手段
１４　記憶手段
１５　表示手段
１６　情報取得手段
１７　情報分離手段
１８　表示部制御手段
１９　情報記憶手段
２０　画像表示手段
２１　文字表示手段
【図１】
2004110089.tif 000003
【図２】
2004110089.tif 000004
【図３】
2004110089.tif 000005
【図４】
2004110089.tif 000006
【図５】
2004110089.tif 000007
【図６】
2004110089.tif 000008
【図７】
2004110089.tif 000009